(57)【要約】【課題】設置後の上沓、下沓の表面を突出物の無い平坦面のままとすることによりスペースの有効活用を図ることが可能で、鋼材の使用量を低減し、錆の発生を抑止できる橋梁用支承の下沓、上沓の固定構造を提供することを目的とする。【解決手段】橋梁用支承の下沓３、上沓４の固定構造において、下部構造１に螺着固定される下沓３と上部構造２に螺着固定される上沓４を有する橋梁用支承であって、前記下沓３及び上沓４に複数の雌ねじ孔１０を形成し、前記下沓３及び上沓４の少なくともいずれか一方の雌ねじ孔１０を通して上端に工具挿入用孔１２を形成した頭無しボルト１１を螺着し、前記頭無しボルト１１の上端が下沓３、上沓４の表面から突出しないよう下部構造１、上部構造２に固定することを特徴とする。【選択図】  図２
2008002062.tif 000002
【特許請求の範囲】
【請求項１】
下部構造に螺着固定される下沓と上部構造に螺着固定される上沓を有する橋梁用支承であって、前記下沓及び上沓に複数の雌ねじ孔を形成し、前記下沓及び上沓の少なくともいずれか一方の雌ねじ孔を通して上端に工具挿入用孔を形成した頭無しボルトを螺着し、前記頭無しボルトの上端が下沓、上沓の表面から突出しないよう下部構造、上部構造に固定することを特徴とする橋梁用支承の下沓、上沓の固定構造。
【請求項２】
前記頭無しボルトの上端の工具挿入用孔に、前記頭無しボルトで下沓、上沓を下部構造物、上部構造に固定後、防錆キャップを挿入固定することを特徴とする請求項１記載の橋梁用支承の下沓、上沓の固定構造。
【請求項３】
前記頭無しボルトの上端の工具挿入孔の内周面に雌ねじを形成し、表面が平ら頭部と外周面に頭無しボルトの雄ねじと逆ねじの雄ねじ部を備えた脚部とを有する防錆キャップを前記工具挿入口の雌ねじに水膨張ゴムシールリングを介在させて螺着することを特徴とする請求項１又は２に記載の橋梁用支承の下沓、上沓の固定構造。
【発明の詳細な説明】
【技術分野】
【０００１】
本発明は、橋脚等の下部構造に固定される下沓と橋桁等の上部構造に固定される上沓を備える橋梁用支承の上沓、下沓の固定構造に関する。
【背景技術】
【０００２】
橋梁や建築等の構造物には、橋脚等の下部構造で橋桁等の上部構造を支持する構成を採るものがあり、かかる構造物においては、下部構造と上部構造との間に、上部構造の支持条件に応じて種々のタイプの支承が使用されている。この支承は、使用材料の面からは、例えば鋼製支承とゴム支承に分けることができ、また、変位吸収機能の面から可動支承と固定支承及び機能分離型支承に分けることができる。
【０００３】
上記支承を用いる構造物の一例として、下部構造の上面に下沓を固定し、上部構造の下面に上沓を固定し、上沓と下沓との間に支承を配置する構造のものがある。
【特許文献１】特開２０００−１７８９２１号公報
【発明の開示】
【発明が解決しようとする課題】
【０００４】
しかしながら、従来のボルトによる下沓、上沓を上部構造、下部構造への固定を行う方法では、上沓、下沓を固定後、その表面にボルトの頭部が突出した状態になるので、スペースを有効活用することが困難になり、特に作業スペースが極端に狭い橋梁用支承においては、支承等の部材を配置する作業が困難になるなどの課題があった。また、ボルト頭部が表面から突出しているため、ゴム支承のせん断変形を許容するスペースと支承等の部材を配置するためのスペースを確保する必要があり、上沓、下沓の大きさを大きくしなければならず、そのため消費鋼材量が増加し、コストアップの要因となる課題がある。さらに、ボルト頭部が自然環境に晒させるため、錆が発生しやすいという課題もある。
【０００５】
本発明は、このような従来の課題に鑑みてなされたものであり、本発明の目的は、設置後の上沓、下沓の表面を突出物の無い平坦面のままとすることにより、狭いスペースの有効活用を図ることが可能で、鋼材の使用量を低減し、錆の発生を抑止できる橋梁用支承の下沓、上沓の固定構造を提供することである。
【課題を解決するための手段】
【０００６】
本第１発明は、前記課題を解決するために、橋梁用支承の下沓、上沓の固定構造において、下部構造に螺着固定される下沓と上部構造に螺着固定される上沓を有する橋梁用支承であって、前記下沓及び上沓に複数の雌ねじ孔を形成し、前記下沓及び上沓の少なくともいずれか一方の雌ねじ孔を通して上端に工具挿入用孔を形成した頭無しボルトを螺着し、前記頭無しボルトの上端が下沓、上沓の表面から突出しないよう下部構造、上部構造に固定することを特徴とする。
【０００７】
本第２発明は、本第１発明の橋梁用支承の下沓、上沓の固定構造において、前記頭無しボルトの上端の工具挿入用孔に、前記頭無しボルトで下沓、上沓を下部構造物、上部構造に固定後、防錆キャップを挿入固定することを特徴とする。
【０００８】
本第３発明は、本第１又は第２発明の橋梁用支承の下沓、上沓の固定構造において、前記頭無しボルトの上端の工具挿入孔の内周面に雌ねじを形成し、表面が平ら頭部と外周面に頭無しボルトの雄ねじと逆ねじの雄ねじ部を備えた脚部とを有する防錆キャップを前記工具挿入口の雌ねじに水膨張ゴムシールリングを介在させて螺着することを特徴とする。
【発明の効果】
【０００９】
本発明の下部構造に螺着固定される下沓と上部構造に螺着固定される上沓を有する橋梁用支承であって、前記下沓及び上沓に複数の雌ねじ孔を形成し、前記下沓及び上沓の少なくともいずれか一方の雌ねじ孔を通して上端に工具挿入用孔を形成した頭無しボルトを螺着し、前記頭無しボルトの上端が下沓、上沓の表面から突出しないよう下部構造、上部構造に固定する構成により、下沓、上沓の表面を平滑とし、スペースの有効活用が可能となる。
頭無しボルトの上端の工具挿入用孔に、前記頭無しボルトで下沓、上沓を下部構造物、上部構造に固定後、防錆キャップを挿入固定する構成により、頭無しボルトと下沓、上沓との螺着部への水等の浸入を防止し錆の発生を防止できる。
頭無しボルトの上端の工具挿入孔の内周面に雌ねじを形成し、表面が平ら頭部と外周面に頭無しボルトの雄ねじと逆ねじの雄ねじ部を備えた脚部とを有する防錆キャップを前記工具挿入口の雌ねじに水膨張ゴムシールリングを介在させて螺着する構成により、防錆キャップ取り付け、取り外し時に、頭無しボルトの螺着が緩むことを防止すると共に、頭無しボルトと下沓、上沓との螺着部への雨水等の浸入を効率よく防止し錆の発生を抑制できる。
【発明を実施するための最良の形態】
【００１０】
本発明の実施の形態を図により説明する。図１は、本発明の橋梁用支承の下沓の固定構造の一実施形態の一部断面図であり、図２は、下沓、上沓の固定構造の一実施形態の一部断面図である。
【００１１】
橋梁用支承は、下部構造物１に固定される下沓３と上部構造２に固定される上沓４との間にゴム支承５が設置される。本実施形態においては、下沓３と上沓４との間にゴム支承（免震支承、分離支承）５が設置されたものを実施形態として示しているが、その支承の形態は、使用材料の面から鋼製支承、変位吸収機能の面から可動支承、固定支承、機能分離型支承とどのようなものであって適用できる。
【００１２】
先ず、本発明の固定構造を、下沓３の下部構造１への固定に用いた実施形態について図１に基づいて説明する。下部構造１にはアンカー部材用孔が形成され、アンカー部材用孔にアンカー部材６が挿入され、アンカー部材６の上端にカップラー７が溶接又は螺着により固定する。アンカー部材用孔に無収縮モルタルを打設してアンカー部材６とカップラー７を一体化する。その際、カップラー７の上端は、下部構造物１の表面より若干上に突き出すように配置される。アンカー部材用孔に打設される無収縮モルタルは、下部構造１の表面上にカップラー７の上端に達する厚みで、表面が水平で且つ平滑となるように均しモルタル８として打設される。均しモルタル８が固化した後、下沓３を均しモルタル８の上に設置する。下沓２には、予めゴム支承５をボルト９で固定しておいても良い。下沓３の４隅には、ボルト挿通用雌ねじ孔１０が形成される。
【００１３】
下沓３を下部構造１に固定するため、頭無しボルト１１が用いられる。頭無しボルト１１には、カップラー７とボルト挿通用雌ねじ孔１０と螺着する雄ねじが刻設され、その上端に、工具挿入用孔１２が形成される。工具挿入用孔１２の断面は、６角レンチ等の工具により回転させるため６角形としても良いし、後述する防錆キャップを螺着する場合は、その内周面に雌ねじを刻設しても良い。
【００１４】
頭無しボルト１１を下沓３のボルト挿通用雌ねじ孔１０とカップラー７に螺着する。頭無しボルト１１による下沓３の下部構造１への固定後、頭無しボルト１１の上端部は、下沓３の表面から突出することなく、下沓３の表面は平滑である。
【００１５】
頭無しボルト１１により下沓３の下部構造１への固定が終了した後、頭無しボルト１１の上端の工具挿入孔１２は、そのままにしておくと雨水等が溜まり錆が発生しやすくなる。そのため、頭無しボルト１１の上端の工具挿入口１２に防錆キャップ１３を挿入固定する。
【００１６】
防錆キャップ１３は耐久性を持たせるため、金属製としても良い。防錆キャップ１３を金属製とする場合、工具挿入孔１２の内周面に雌ねじを形成する。防錆キャップ１３は、表面が平らな薄い頭部１４と、外周に頭無しボルト１１の雄ねじ部と逆ねじの雄ねじ部を形成した脚部１５を備える。防錆キャップ１３の表面が平らな頭部１４は、上沓３と頭無しボルト１１の螺着部上端を覆う大きさとする。防錆キャップ１３の脚部１５を工具挿入孔１２に螺着する際、工具挿入孔１２の上端に水膨張ゴムシールリング１６を配置すると、雨水等の浸入を確実に防止できる。脚部１５の雄ねじ部を頭無しボルト１１の雄ねじ部の逆ねじとするのは、防錆キャップ１３の取り付け、取り外し時に頭無しボルト１１の螺着が緩むことを防止するためである。頭無しボルト１１の工具挿入孔１２の断面が６角形の場合、防錆キャップ１３としては、表面が平らなゴム製キャップの脚部を工具挿入口１２に圧入固定してもよい。なお、ゴム製キャップを雌ねじを形成した工具挿入孔１２に圧入固定しても良い。
【００１７】
図２に示されるように、上沓４の上部構造２への固定にも、図１に示されるような頭無しボルト１１を用いても良い。上沓４の上部構造２の固定と下沓の下部構造１への固定に本発明の頭無しボルト１１を用いた固定構造を採用することにより、より大きなスペースを確保できる。上沓４の上部構造２への固定構造は、図１に示される下沓３の下部構造１への固定構造と同様であるので説明を省略する。
【００１８】
図１では、下沓３の下部構造１への固定に本発明の固定構造を採用した実施形態が示され、図２では、下沓３の下部構造１への固定と上沓４の上部構造２への固定の両方に本発明の頭無しボルト１１を用いた固定構造を採用する実施形態がしめされているが、上沓４の上部構造２への固定のみに本発明の頭無しボルト１１を用いた固定構造を採用しても良い。
【００１９】
本発明の橋梁用支承の上沓４、下沓３の固定構造によれば、設置後の上沓４、下沓３の表面を突出物の無い平坦面のままとすることにより、狭いスペースの有効活用を図ることが可能で、鋼材の使用量を低減し、錆の発生を抑止できる橋梁用支承の下沓３、上沓４の固定構造を提供することができる。
【図面の簡単な説明】
【００２０】
【図１】本発明の実施形態を示す図である。
【図２】本発明の実施形態を示す図である。
【符号の説明】
【００２１】
１：下部構造、２：上部構造、３：下沓、４：上沓、５：ゴム支承、６：アンカー部材、７：カップラー、８：均しモルタル、９：ボルト、１０：ボルト挿通用雌ねじ孔、１１：頭無しボルト、１２：工具挿入用孔、１３：防錆キャップ、１４：表面が平らな薄い頭部、１５：脚部、１６：水膨張ゴムシールリング
【図１】
2008002062.tif 000003
【図２】
2008002062.tif 000004